【事件の表示】
　平成　８年特許願第５１６２９８号「コンピュータを基礎とする発呼者ＩＤを有する多機能パーソナル通信システム」拒絶査定に対する審判事件［平成　８年　５月２３日国際公開、ＷＯ９６／１５６１２、平成１０年　３月　３日国内公表、特表平１０−５０２５１２］について、次のとおり審決する。
【結　論】
　本件審判の請求は、成り立たない。
【理　由】
１．手続の経緯・本願発明
　本願は、１９９５年１１月９日（パリ条約による優先権主張１９９４年１１月１０日、米国（ＵＳ））を国際出願日とする出願であって、その請求項１に係る発明は、特許請求の範囲の請求項１に記載された事項により特定される次のとおりのものである。
「電話ネットワークとパーソナルコンピュータとともに使用するパーソナル通信システムであって、
　データを上記パーソナルコンピュータに転送しかつ上記パーソナルコンピュータからデータを転送するために接続されたデータインターフェース手段と、
　第１の電話回線を含む複数の発呼者識別符号化電話回線に接続し、かつ好ましくない電話呼を即時に回避するための即時回線切断手段を有する電話回線発呼者識別インターフェース手段と、
　ローカルユーザからローカル音声信号を受信し、遠隔のユーザからローカルユーザに遠隔の音声信号を伝送するための電話ハンドセット手段と、
　上記電話ハンドセットに接続され、ローカル音声信号を発信デジタル音声データに変換し、着信デジタル音声データを遠隔の音声信号に変換するための全２重変換手段と、
　上記全２重変換手段に接続され、発信デジタル音声データを圧縮された発信デジタル音声データに圧縮し、圧縮された着信デジタル音声データを着信デジタル音声データに伸長するための音声圧縮手段と、
　主制御手段とを備え、
　上記主制御手段は、
　上記音声圧縮手段からの圧縮された発信デジタル音声データを受信し、
　上記パーソナルコンピュータから上記データインターフェース手段を介して発信既存デジタルデータを受信し、
　圧縮された発信デジタル音声データを、上記発信既存デジタルデータともに多重化して送信し、
上記遠隔の音声信号を上記第１の電話回線に通過させるために接続されたパーソナル通信システム。」（以下、「本願発明」という）
　
２．引用刊行物記載の発明
　これに対して、原査定の拒絶の理由に引用された、本願の優先権主張の日前の１９９４年７月９日付けでカナダ国において公開されたカナダ国特許出願公開第２１０４７０１号明細書（ＣＡ，Ａ，２１０４７０１、以下、「引用刊行物」という）には、次の事項が記載されている。
「Ｈａｒｄｗａｒｅ　Ｃｏｍｐｏｎｅｎｔｓ
　
　　　Ｆｉｇｕｒｅ　３　ｉｓ　ａ　ｂｌｏｃｋ　ｄｉａｇｒａｍ　ｏｆ　ｔｈｅ　ｈａｒｄｗａｒｅ　ｃｏｍｐｏｎｅｎｔｓ　ｏｆ　ｔｈｅ　ｐｒｅｓｅｎｔ　ｓｙｓｔｅｍ　ｃｏｒｒｅｓｐｏｎｄｉｎｇ　ｔｏ　ｒｅｆｅｒｅｎｃｅ　ｎｕｍｂｅｒ　２０　ｏｆ　Ｆｉｇｕｒｅ　１．　Ｔｈｅｓｅ　ｃｏｍｐｏｎｅｎｔｓ　ｆｏｒｍ　ｔｈｅ　ｌｉｎｋ　ｂｅｔｗｅｅｎ　ｔｈｅ　ｕｓｅｒ，　ｔｈｅ　ｐｅｒｓｏｎａｌ　ｃｏｍｐｕｔｅｒ　ｒｕｎｎｉｎｇ　ｔｈｅ　ｓｏｆｔｗａｒｅ　ｃｏｍｐｏｎｅｎｔ　ｏｆ　ｔｈｅ　ｐｒｅｓｅｎｔ　ｓｙｓｔｅｍ　ａｎｄ　ｔｈｅ　ｔｅｌｅｐｈｏｎｅ　ｌｉｎｅ　ｉｎｔｅｒｆａｃｅ．　Ａｓ　ｗｉｌｌ　ｂｅ　ｍｏｒｅ　ｆｕｌｌｙ　ｄｅｓｃｒｉｂｅｄ　ｂｅｌｏｗ，　ｔｈｅ　ｉｎｔｅｒｆａｃｅ　ｔｏ　ｔｈｅ　ｈａｒｄｗａｒｅ　ｃｏｍｐｏｎｅｎｔｓ　ｏｆ　ｔｈｅ　ｐｒｅｓｅｎｔ　ｓｙｓｔｅｍ　ｉｓ　ｖｉａ　ａ　ｓｅｒｉａｌ　ｃｏｍｍｕｎｉｃａｔｉｏｎｓ　ｐｏｒｔ　ｃｏｎｎｅｃｔｅｄ　ｔｏ　ｔｈｅ　ｐｅｒｓｏｎａｌ　ｃｏｍｐｕｔｅｒ．　Ｔｈｅ　ｉｎｔｅｒｆａｃｅ　ｐｒｏｔｏｃｏｌ　ｉｓ　ｗｅｌｌ　ｏｒｄｅｒｅｄ　ａｎｄ　ｄｅｆｉｎｅｄ　ｓｕｃｈ　ｔｈａｔ　ｏｔｈｅｒ　ｓｏｆｔｗａｒｅ　ｓｙｓｔｅｍｓ　ｏｒ　ｐｒｏｇｒａｍｓ　ｒｕｎｎｉｎｇ　ｏｎ　ｔｈｅ　ｐｅｒｓｏｎａｌ　ｃｏｍｐｕｔｅｒ　ｍａｙ　ｂｅ　ｄｅｓｉｇｎｅｄ　ａｎｄ　ｉｍｐｌｅｍｅｎｔｅｄ　ｗｈｉｃｈ　ｗｏｕｌｄ　ｂｅ　ｃａｐａｂｌｅ　ｏｆ　ｃｏｎｔｒｏｌｌｉｎｇ　ｔｈｅ　ｈａｒｄｗａｒｅ　ｃｏｍｐｏｎｅｎｔｓ　ｓｈｏｗｎ　ｉｎ　Ｆｉｇｕｒｅ　３　ｂｙ　ｕｓｉｎｇ　ｔｈｅ　ｃｏｎｔｒｏｌ　ａｎｄ　ｃｏｍｍｕｎｉｃａｔｉｏｎｓ　ｐｒｏｔｏｃｏｌ　ｄｅｆｉｎｅｄ　ｂｅｌｏｗ．
・・・・・（中略）・・・・・
　
Ｆｕｎｃｔｉｏｎａｌ　Ｏｐｅｒａｔｉｏｎ　ｏｆ　ｔｈｅ　Ｈａｒｄｗａｒｅ　Ｃｏｍｐｏｎｅｎｔｓ
　
　　　Ｒｅｆｅｒｒｉｎｇ　ｏｎｃｅ　ａｇａｉｎ　ｔｏ　Ｆｉｇｕｒｅ　３，　ｔｈｅ　ｍｕｌｔｉｐｌｅ　ａｎｄ　ｓｅｌｅｃｔａｂｌｅ　ｆｕｎｃｔｉｏｎｓ　ｄｅｓｃｒｉｂｅｄ　ｉｎ　ｃｏｎｊｕｎｃｔｉｏｎ　ｗｉｔｈ　Ｆｉｇｕｒｅ　２　ａｒｅ　ａｌｌ　ｉｍｐｌｅｍｅｎｔｅｄ　ｉｎ　ｔｈｅ　ｈａｒｄｗａｒｅ　ｃｏｍｐｏｎｅｎｔｓ　ｏｆ　Ｆｉｇｕｒｅ　３．　Ｅａｃｈ　ｏｆ　ｔｈｅｓｅ　ｆｕｎｃｔｉｏｎｓ　ｗｉｌｌ　ｂｅ　ｄｉｓｃｕｓｓｅｄ　ｉｎ　ｔｕｒｎ．　
・・・・・（中略）・・・・・
　　　Ｉｎ　ａ　ｒｅｃｉｐｒｏｃａｌ　ｆａｓｈｉｏｎ，　ｄａｔａ　ｉｓ　ｒｅｃｅｉｖｅｄ　ｆｒｏｍ　ｔｈｅ　ｔｅｌｅｐｈｏｎｅ　ｌｉｎｅ　ｏｖｅｒ　ｔｅｌｅｐｈｏｎｅ　ｌｉｎｅ　ｉｎｔｅｒｆａｃｅ　ｃｉｒｃｕｉｔ　３０９　ａｎｄ　ｓｉｍｐｌｙ　ｆｏｒｗａｒｄｅｄ　ｂｙ　ｔｈｅ　ｄａｔａ　ｐｕｍｐ　ｃｉｒｃｕｉｔ　３１１，　ｔｈｅ　ｍａｉｎ　ｃｏｎｔｒｏｌｌｅｒ　ｃｉｒｃｕｉｔ　３１３　ｏｖｅｒ　ｔｈｅ　ｓｅｒｉａｌ　ｌｉｎｅ　ｉｎｔｅｒｆａｃｅ　ｃｉｒｃｕｉｔ　３１５　ｔｏ　ｔｈｅ　ｐｅｒｓｏｎａｌ　ｃｏｍｐｕｔｅｒ．
　　　Ａｓ　ｄｅｓｃｒｉｂｅｄ　ａｂｏｖｅ，　ａｎｄ　ｍｏｒｅ　ｆｕｌｌｙ　ｂｅｌｏｗ，　ｔｈｅ　ａｄｄｒｅｓｓ　ｂｏｏｋ　ｆｕｎｃｔｉｏｎ　ｏｆ　ｔｈｅ　ｐｒｅｓｅｎｔ　ｓｙｓｔｅｍ　ｉｓ　ｐｒｉｍａｒｉｌｙ　ａ　ｓｕｐｐｏｒｔ　ｆｕｎｃｔｉｏｎ　ｆｏｒ　ｐｒｏｖｉｄｉｎｇ　ｔｅｌｅｐｈｏｎｅ　ｎｕｍｂｅｒｓ　ａｎｄ　ａｄｄｒｅｓｓｅｓ　ｆｏｒ　ｔｈｅ　ｏｔｈｅｒ　ｖａｒｉｏｕｓ　ｆｕｎｃｔｉｏｎｓ　ｏｆ　ｔｈｅ　ｐｒｅｓｅｎｔ　ｓｙｓｔｅｍ．」（公開明細書第１４頁第４行−第２５頁第２０行）、
「１．　Ａ　ｍｕｌｔｉｆｕｎｃｔｉｏｎ　ｃｏｍｍｕｎｉｃａｔｉｏｎ　ｓｙｓｔｅｍ　ｆｏｒ　ｕｓｅ　ｗｉｔｈ　ａ　ｐｅｒｓｏｎａｌ　ｃｏｍｐｕｔｅｒ，ｔｈｅ　ｐｅｒｓｏｎａｌ　ｃｏｍｐｕｔｅｒ　ｈａｖｉｎｇ　ａ　ｐｒｏｃｅｓｓｏｒ，ａ　ｍｅｍｏｒｙ，ａｎｄ　ａ　ｐｅｒｉｐｈｅｒａｌ　ｄａｔａ　ｓｔｏｒｅ，ｃｏｍｐｒｉｓｉｎｇ：
　　　ａ　ｃｏｍｍｕｎｉｃａｔｉｏｎｓ　ｍｏｄｕｌｅ　ｃｏｎｎｅｃｔｅｄ　ｔｏ　ｔｈｅ　ｐｅｒｓｏｎａｌ　ｃｏｍｐｕｔｅｒ，ｔｈｅ　ｍｏｄｕｌｅ　ｃｏｍｐｒｉｓｉｎｇ：
　　　ｃｏｍｍｕｎｉｃａｔｉｏｎｓ　ｉｎｔｅｒｆａｃｅ　ｍｅａｎｓ　ｃｏｎｎｅｃｔｅｄ　ｆｏｒ　ｃｏｍｍｕｎｉｃａｔｉｎｇ　ｔｏ　ｔｈｅ　ｐｅｒｓｏｎａｌ　ｃｏｍｐｕｔｅｒ　ｆｏｒ　ｔｒａｎｓｆｅｒｒｉｎｇ　ｄａｔａ　ｂｅｔｗｅｅｎ　ｔｈｅ　ｐｅｒｓｏｎａｌ　ｃｏｍｐｕｔｅｒ　ａｎｄ　ｔｈｅ　ｃｏｍｍｕｎｉｃａｔｉｏｎｓ　ｍｏｄｕｌｅ；
　　　ｔｅｌｅｐｈｏｎｅ　ｌｉｎｅ　ｉｎｔｅｒｆａｃｅ　ｍｅａｎｓ　ｆｏｒ　ｃｏｎｎｅｃｔｉｏｎ　ｔｏ　ａ　ｔｅｌｅｐｈｏｎｅ　ｌｉｎｅ；
　　　ｔｅｌｅｐｈｏｎｅ　ｖｏｉｃｅ　ｉｎｔｅｒｆａｃｅ　ｍｅａｎｓ　ｆｏｒ　ｒｅｃｅｉｖｉｎｇ　ｌｏｃａｌ　ｖｏｉｃｅ　ｓｉｇｎａｌｓ　ｆｒｏｍ　ａ　ｌｏｃａｌ　ｕｓｅｒ　ａｎｄ　ｆｏｒ　ｃｏｎｖｅｙｉｎｇ　ｒｅｍｏｔｅ　ｖｏｉｃｅ　ｓｉｇｎａｌｓ ｆｒｏｍ　ａ　ｒｅｍｏｔｅ　ｕｓｅｒ　ｔｏ　ｔｈｅ　ｌｏｃａｌ　ｕｓｅｒ；
　　　ｆｕｌｌ−ｄｕｐｌｅｘ　ｃｏｎｖｅｒｓｉｏｎ　ｍｅａｎｓ　ｆｏｒ　ｃｏｎｖｅｒｔｉｎｇ　ｔｈｅ　ｌｏｃａｌ　ｖｏｉｃｅ　ｓｉｇｎａｌｓ　ｉｎｔｏ　ｏｕｔｇｏｉｎｇ　ｄｉｇｉｔａｌ　ｖｏｉｃｅ　ｄａｔａ　ａｎｄ　ｆｏｒ　ｃｏｎｖｅｒｔｉｎｇ　ｉｎｃｏｍｉｎｇ　ｄｉｇｉｔａｌ　ｖｏｉｃｅ　ｄａｔａ　ｉｎｔｏ　ｔｈｅ　ｒｅｍｏｔｅ　ｖｏｉｃｅ　ｓｉｇｎａｌｓ；
　　　ｃｏｍｐｒｅｓｓｉｏｎ　ｍｅａｎｓ　ｆｏｒ　ｃｏｍｐｒｅｓｓｉｎｇ　ｔｈｅ　ｏｕｔｇｏｉｎｇ　ｄｉｇｉｔａｌ　ｖｏｉｃｅ　ｄａｔａ　ｉｎｔｏ　ｃｏｍｐｒｅｓｓｅｄ　ｏｕｔｇｏｉｎｇ　ｄｉｇｉｔａｌ　ｖｏｉｃｅ　ｄａｔａ　ａｎｄ　ｆｏｒ　ｄｅｃｏｍｐｒｅｓｓｉｎｇ　ｃｏｍｐｒｅｓｓｅｄ　ｉｎｃｏｍｉｎｇ　ｄｉｇｉｔａｌ　ｖｏｉｃｅ　ｄａｔａ　ｉｎｔｏ　ｔｈｅ　ｉｎｃｏｍｉｎｇ　ｄｉｇｉｔａｌ　ｖｏｉｃｅ　ｄａｔａ；
　　　ｍａｉｎ　ｃｏｎｔｒｏｌ　ｍｅａｎｓ　ｆｏｒ　ｒｅｃｅｉｖｉｎｇ　ｔｈｅ　ｃｏｍｐｒｅｓｓｅｄ　ｏｕｔｇｏｉｎｇ　ｄｉｇｉｔａｌ　ｖｏｉｃｅ　ｄａｔａ　ｆｒｏｍ　ｔｈｅ　ｃｏｍｐｒｅｓｓｉｏｎ　ｍｅａｎｓ，ｆｏｒ　ｒｅｃｅｉｖｉｎｇ　ｏｕｔｇｏｉｎｇ　ｃｏｎｖｅｎｔｉｏｎａｌ　ｄｉｇｉｔａｌ　ｄａｔａ　ｆｒｏｍ　ｔｈｅ　ｐｅｒｓｏｎａｌ　ｃｏｍｐｕｔｅｒ　ｔｈｒｏｕｇｈ　ｔｈｅ　ｃｏｍｍｕｎｉｃａｔｉｏｎｓ　ｉｎｔｅｒｆａｃｅ　ｍｅａｎｓ，ａｎｄ　ｆｏｒ　ｍｕｌｔｉｐｌｅｘｉｎｇ　ｔｈｅ　ｃｏｍｐｒｅｓｓｅｄ　ｏｕｔｇｏｉｎｇ　ｄｉｇｉｔａｌ　ｖｏｉｃｅ　ｄａｔａ　ａｎｄ　ｔｈｅ　ｃｏｎｖｅｎｔｉｏｎａｌ　ｄｉｇｉｔａｌ　ｄａｔａ　ｔｏ　ｐｒｏｄｕｃｅｄ　ｍｕｌｔｉｐｌｅｘｅｄ　ｏｕｔｇｏｉｎｇ　ｄａｔａ；
　　　ｔｈｅ　ｍａｉｎ　ｃｏｎｔｒｏｌ　ｍｅａｎｓ　ｆｕｒｔｈｅｒ　ｆｏｒ　ｒｅｃｅｉｖｉｎｇ　ｍｕｌｔｉｐｌｅｘｅｄ　ｉｎｃｏｍｉｎｇ　ｄａｔａ　ｗｈｉｃｈ　ｃｏｎｔａｉｎｓ　ｉｎｃｏｍｉｎｇ　ｃｏｎｖｅｎｔｉｏｎａｌ　ｄｉｇｉｔａｌ　ｄａｔａ　ｍｕｌｔｉｐｌｅｘｅｄ　ｗｉｔｈ　ｔｈｅ　ｃｏｍｐｒｅｓｓｅｄ　ｉｎｃｏｍｉｎｇ　ｄｉｇｉｔａｌ　ｖｏｉｃｅ　ｄａｔａ，ｆｏｒ　ｄｅｍｕｌｔｉｐｌｅｘｉｎｇ　ｔｈｅ　ｉｎｃｏｍｉｎｇ　ｃｏｎｖｅｎｔｉｏｎａｌ　ｄｉｇｉｔａｌ　ｄａｔａ　ａｎｄ　ｔｈｅ　ｃｏｍｐｒｅｓｓｅｄ　ｉｎｃｏｍｉｎｇ　ｄｉｇｉｔａｌ　ｖｏｉｃｅ　ｄａｔａ，ａｎｄ　ｆｏｒ　ｓｅｎｄｉｎｇ　ｔｈｅ　ｉｎｃｏｍｉｎｇ　ｃｏｎｖｅｎｔｉｏｎａｌ　ｄｉｇｉｔａｌ　ｄａｔａ　ｔｏ　ｔｈｅ　ｐｅｒｓｏｎａｌ　ｃｏｍｐｕｔｅｒ　ｔｈｒｏｕｇｈ　ｔｈｅ　ｃｏｍｍｕｎｉｃａｔｉｏｎｓ　ｉｎｔｅｒｆａｃｅ　ｍｅａｎｓ　ａｎｄ　ｆｏｒ　ｓｅｎｄｉｎｇ　ｔｈｅ　ｃｏｍｐｒｅｓｓｅｄ　ｉｎｃｏｍｉｎｇ　ｄｉｇｉｔａｌ　ｖｏｉｃｅ　ｄａｔａ　ｔｏ　ｔｈｅ　ｃｏｍｐｒｅｓｓｉｏｎ　ｍｅａｎｓ；
　　　ｔｈｅ　ｐｅｒｓｏｎａｌ　ｃｏｍｐｕｔｅｒ　ｅｘｅｃｕｔｉｎｇ　ｓｏｆｔｗａｒｅ　ｔｏ　ｃｏｍｍｕｎｉｃａｔｅ　ｗｉｔｈ　ｔｈｅ　ｃｏｍｍｕｎｉｃａｔｉｏｎｓ　ｍｏｄｕｌｅ　ｔｈｒｏｕｇｈ　ｔｈｅ　ｃｏｍｍｕｎｉｃａｔｉｏｎｓ　ｉｎｔｅｒｆａｃｅ　ａｎｄ　ｏｐｅｒａｂｌｅ　ｆｏｒ　ｉｎｉｔｉａｔｉｎｇ　ａ　ｔｅｌｅｐｈｏｎｅ　ｃａｌｌ　ｔｏ　ａ　ｒｅｍｏｔｅ　ｓｉｔｅ　ｉｎ　ｒｅｓｐｏｎｓｅ　ｔｏ　ｔｈｅ　ｃｏｍｍａｎｄｓ　ｂｙ　ｔｈｅ　ｌｏｃａｌ　ｕｓｅｒ　ａｎｄ　ｆｏｒ　ｃａｕｓｉｎｇ　ｔｈｅ　ｍａｉｎ　ｃｏｎｔｒｏｌ　ｍｅａｎｓ　ｏｆ　ｔｈｅ　ｃｏｍｍｕｎｉｃａｔｉｏｎｓ　ｍｏｄｕｌｅ　ｔｏ　ｐｅｒｆｏｒｍ　ｍｕｌｔｉｐｌｅｘｉｎｇ　ａｎｄ　ｄｅｍｕｌｔｉｐｌｅｘｉｎｇ；　ａｎｄ
　　　ｔｈｅ　ｐｅｒｓｏｎａｌ　ｃｏｍｐｕｔｅｒ　ｆｕｒｔｈｅｒ　ｏｐｅｒａｂｌｅ　ｆｏｒ　ｒｅｃｅｉｖｉｎｇ　ａｎｄ　ｓｔｏｒｉｎｇ　ｔｈｅ　ｉｎｃｏｍｉｎｇ　ｃｏｎｖｅｎｔｉｏｎａｌ　ｄｉｇｉｔａｌ　ｄａｔａ　ｒｅｃｅｉｖｅｄ　ｆｒｏｍ　ｔｈｅ　ｃｏｍｍｕｎｉｃａｔｉｏｎｓ　ｍｏｄｕｌｅ　ｏｖｅｒ　ｔｈｅ　ｃｏｍｍｕｎｉｃａｔｉｏｎｓ　ｉｎｔｅｒｆａｃｅ　ａｎｄ　ｆｏｒ　ｔｒａｎｓｍｉｔｔｉｎｇ　ｔｈｅ　ｏｕｔｇｏｉｎｇ　ｃｏｎｖｅｎｔｉｏｎａｌ　ｄｉｇｉｔａｌ　ｄａｔａ　ｔｏ　ｔｈｅ　ｃｏｍｍｕｎｉｃａｔｉｏｎｓ　ｍｏｄｕｌｅ　ｏｖｅｒ　ｔｈｅ　ｃｏｍｍｕｎｉｃａｔｉｏｎｓ　ｉｎｔｅｒｆａｃｅ．」
（公開明細書第８８頁第１行−第８９頁第２２行）、すなわち、引用刊行物のこれらの記載事項には、以下の事項が記載されていると認められる（なお、必要があれば、特開平９−２３８２００号公報を参照されたい）。
「ハードウェア構成要素
　
　図３は、図１の参照番号２０に対応する本装置のハードウェア構成要素の構成図である。これらの構成要素は、ユーザー、本装置のソフトウェア構成要素を実行するパーソナルコンピュータ及び電話回線インタフェースとの間にリンクを形成している。以下にさらに十分に説明されているように、本装置のハードウェア構成要素へのインタフェースは、パーソナルコンピュータへ接続した直列通信ポートを介してとられている。パーソナルコンピュータで実行する他のソフトウェアシステムまたはプログラムが設計され、実行され、これが、以降に定義されている制御と通信のプロトコルにより、図３に示されたハードウェア構成要素を制御することが出来るように、このインタフェースプロトコルが良く順序づけされ、また定義されている。
　本装置の好適な実施態様において、三つの選択出来る電話機インタフェースが使用できる。すなわち、電話機ハンドセット３０１、電話機ヘッドセット３０２及びハンドフリー・マイクロホーン３０３とスピーカ３０４である。電話機インタフェースに関係なく、三つの選択出来るインタフェースが、デジタル電話符号化復号化装置（ＣＯＤＥＣ）回路３０５へ接続している。
　デジタル電話ＣＯＤＥＣ回路３０５は、音声制御ＤＳＰとＣ０ＤＥＣとを有する音声制御デジタル信号処理装置（ＤＳＰ）回路３０６とインタフェースしている。この回路は、デジタルーアナログ（Ｄ／Ａ）変換、アナログーデジタル（Ａ／Ｄ）変換、符号化／復号化、利得制御を行い、また音声制御ＤＳＰ回路３０６と電話機インタフェースとの間のインタフェースである。音声制御回路３０６のＣ０ＤＥＣは、デジタル化された音声情報を圧縮された形で、アナログ電話回線インタフェース３０９へ接続した多重回路３１０へ送る。
　音声制御回路３０６のＣＯＤＥＣは、実際に、以降に詳細に説明するように、音声デジタル信号処理装置の集積回路の一つの完全な構成要素である。回路３０６の音声制御ＤＳＰは、デジタル電話ＣＯＤＥＣ回路３０５を制御し、音声圧縮とエコー消去を行う。
　多重装置（ＭＵＸ）回路３１０は、電話回線インタフェース回路３０９を経て電話回線へ情報を送るために、音声制御ＤＳＰ回路３０６とデータ・ポンプＤＳＰ回路３１１との間で選択する。
　データ・ポンプ回路３１１は、デジタル信号処理装置（ＤＳＰ）とＭＵＸ回路３１０を経て電話回線インタフェース３０９から通信するＣＯＤＥＣとを有する。回路３１１のデータ・ポンプＤＳＰとＣＯＤＥＣは、変調、復調及びエコー消去などの機能を行い、ファックスとモデムプロトコルを含む複数の通信標準を使用して、電話回線インタフェース３０９から通信する。
　主制御回路３１３は、直列入力／出力と計時機構制御（ＳＩＯ／ＣＴＣ）の回路３１２とデュアルポートＲＡＭ回路３０８をそれぞれ経て、データ・ポンプＤＳＰ回路３１１と音声制御ＤＳＰ回路３０６とを制御する。主制御回路３１３は、デュアルポートＲＡＭ回路３０８を経て音声制御ＤＳＰ回路３０６に通じている。このようにして、ユーザー（インタフェース３０１、３０２または３０３／３０４を介して）と、直列インタフェース回路３１５と電話回線インタフェース回路３０９へ接続した電話回線を経て接続した遠隔地電話接続とへ接続したパーソナルコンピュータとの間の高速度通信のために、デジタル音声データは、回路３０８のメモリ部分へ同時に読み取られ、書き込まれる。
　以降に十分に説明されているように、好適な実施態様において、主制御装置回路３１３は、図３に示されたハードウェア構成要素のすべての機能と動作を制御するマイクロプロセッサを有する。この主制御装置は、ＲＡＭ回路３１６とプログラマブルで電気的に消去可能なＲＯＭ（ＰＥＲＯＭ）とへ接続している。
ＰＥＲＯＭ３１７は、音声制御ＤＳＰ回路３０６と主制御装置回路３１３との実行可能な制御プログラムが作動する不揮発性メモリを有する。
　ＲＳ２３２直列インタフェース回路３１５は、本装置のソフトウェア構成要素を作動するパーソナルコンピュータの直列ポートへ通信する。ＲＳ２３２直列インタフェース回路３１５は、直列入力／出力（ＳＩＯ）回路３１４へ主制御装置回路３１３を介して接続している。ＳＩＯ回路３１４は、好適な実施態様では、ＳＩＯ／ＣＴＣ回路３１２の一部である。
　
ハードウェア構成要素の機能的動作
　
　再び図３に関して、図２に関連して説明した多重で選択可能な機能は、図３のハードウェアー構成要素ですべて実行される。これらの機能をそれぞれ順次説明する。
　電話機能１１５は、ユーザーがアドレスブック１２７から呼び出そうとする電話番号を選択するか、または、パーソナルコンピュータの電話メニューにより番号を手動で選択することにより実行される。呼び出そうとする電話番号は、パーソナルコンピュータから直列インタフェースを経て引き出され、主制御装置３１３により受信される。
　主制御装置３１３により、データポンプＤＳＰ回路３１１は、電話回線を捕らえ、ＤＴＭＦ信号音を送り、番号を呼び出す。
　主制御装置３１３はテジタル電話ＣＯＤＥＣ回路３０５を構成し、ハンドセット３０１操作、マイクロホン３０３とスピーカ３０４の操作、及びハンドセット３０２操作を可能にしている。
　電話接続が、電話回線インタフェース回路３０９を介して形成され、通信が可能になる。ユーザーのアナログ音声は、アナログの形でデジタル電話ＣＯＤＥＣ３０５へおくられ、そこで、デジタル化される。デジタル化されたパターンは、音声制御回路３０６へ送られ、そこで、エコー消去が行われ、デジタル音声信号がアナログ信号へ再構成され、多重回路３１０を経て電話回線インタフェース回路３０９へ、電話回線によるアナログ伝送のために送られる。
　電話接続から電話回線インタフェース回路３０９を経て受信されたアナログ音声は、音声制御回路３０６の統合ＣＯＤＥＣへ送られ、デジタル化される。次に、デジタル化された入信音声は、テジタル電話ＣＯＤＥＣ回路３０５へ送られ、そこで選択された電話インタフェース（ハンドセット３０１、マイクロホン／スピーカ３０３／３０４、またはヘッドセット３０２）へ送るために、アナログ信号へ再変換される。以降に一層よく説明されているように、音声制御ＤＳＰ回路３０６はプログラムされており、フィードバックと、送された信号と受信された信号との間のエコーとを防止するため、エコー消去を行う。
　本発明の音声メール機能モードにおいて、音声メッセージはその後の伝送のために格納されるか、または、本発明の装置は入信メッセージを受信する応答機として動作する。デジタル化音声を格納するために、電話インタフェースが使用されて、アナログ音声パターンをテジタル電話ＣＯＤＥＣ回路３０５へ送る。回路３０５は音声パターンをデジタル化し、それを音声制御回路３０６へ送り、そこで、デジタル化音声パターンはデジタル状態で圧縮される。このデジタル圧縮パターンは、二重ポートＲＡＭ回路３０８を経て主制御装置回路３１３へ送られ、そこで、以降に定義されているパケツトプロトコルにより、直列インタフェースを経てパーソナルコンピュータへ送られる。次に、音声パターンは、事前記録された応答機メッセージとして音声メールに、または、他の側へのその後の所定の送信に、多重媒体メールでその後使用するため、パーソナルコンピュータのディスクに格納される。
　応答機として動作する本発明の装置に関して、図３のハードウェアー構成要素は応答モードに置かれる。入信する電話呼び出しは、電話回線インタフェース回路３０９により検出され、主制御装置回路３１３は警報を受け、その情報をＲＳ２３２直列インタフェース回路３１５を経てパーソナルコンピュータへ送る。電話回線インタフェース回路３０９はこの電話回線を捕らえ、電話接続を行う。事前記録メッセージは、パーソナルコンピュータにより圧縮デジタル化音声としてＲＳ２３２インタフェースを介して主制御装置回路３１３へ送られる。パーソナルコンピュータからの圧縮デジタル化音声は、主制御装置回路３１３から二重ポートＲＭ回路３０８を経て音声制御ＤＳＰ回路３０６へ送られ、そこで、圧縮が解除され、アナログ音声パターンへ変換される。
　これらのアナログ音声パターンは、呼び出し者へ送るために、多重回路３１０を介して電話回線インタフェース３０９へ送られる。このようなメッセージは、呼び出し者に音声メッセージを語調のある音声で残すように要請する。この入信する音声メッセージは電話回線インタフェース３０９により受信され、音声制御回路３０６へ送られる。このアナログ音声パターンは、音声制御回路３０６の統合ＣＯＤＥＣによりデジタル化され、デジタル化音声パターンは、音声制御回路３０６の音声制御ＤＳＰにより圧縮される。この圧縮デジタル化パターンは、二重ポートＲＭ回路３０８を経て主制御装置３１３へ送られ、そこで、格納とその後の検索のために、後述のパケットプロトコルにより、ＲＳ２３２直列インタフェース回路３１５を経てパーソナルコンピュータへ送られる。
　このように、図３のハードウェア構成要素は、本装置の音声メール機能１１７を実行する送受信音声メール装置として動作する。
　図３のハードウェア構成要素は、図２のファックス管理機能１１９を容易にするように動作もする。ファックス受信モードにおいて、入信電話呼び出しは、電話回線インタフェース３０９の呼び出し検出回路により検出され、インタフェース３０９は主制御装置回路３１３に入信呼び出しのことを警報する。主制御装置回路３１３により、電話回線インタフェース回路３０９はその電話回線を捕らえ、呼び出しを受信する。
　主制御装置回路３１３は、また、パーソナルコンピュータで作動しているプログラムにＲＳ２３２インタフェースを介して、パケットプロトコルにより同時に警報を出す。電話回線インタフェースがその電話回線を捕らえると、ファックスキャリア音が送られ、復帰音とハンドシェークが電話回線から受信され、データポンプ回路３１１により検出される。ファックス音の往復する送信と受信は、ファクシミリ伝送の差し迫った受信を示しており、主制御装置３１３は、その情報の受信のための図３のハードウェア構成要素を構成している。
　遠隔地のファクシミリ機との必要なハンドシェークは、主制御装置回路３１３の制御の下にデータポンプ３１１により達成される。デジタルファクシミリデータの入信するデータパケットは、電話回線インタフェースを通じて受信され、データポンプ３１１を経て主制御装置回路３１３へ送られ、回路３１３は、パケット方式のこの情報（十分に後述されるパケットプロトコルにより）を直列インタフェース回路３１５を経てパーソナルコンピュータへディスクに格納するために転送する。
　本技術の専門家は、ファックスデータが電話回線からパーソナルコンピュータへ、正規のＡＴストリームモードによる場合を除いて、パケット転送と同じ経路により転送されることが容易に分かるであろう。従って、入信するファクシミリは、図３のハードウェア構成要素により、パーソナルコンピュータに自動的に受信され、格納される。
　ファクシミリ伝送は、また、図３のハードウェア構成要素により容易になる。ファクシミリ伝送は、即時か、または、その後所定か事前選択の時間に送信するため待機している。ファクシミリを伝送するハードウェア構成要素を構成する制御パケット情報は、パーソナルコンピュータと図３のハードウェア構成要素との間のＲＳ２３２直列インタフェースを通じて送られ、主制御装置回路３１３により受信される。
　次に、データ・ポンプ回路３１１は、電話回線インタフェース回路３０９から、ＤＴＭＦ音またはパルスダイヤルにより受信者の電話番号を呼び出す。適切な接続が遠隔地のファクシミリ機により行われると、標準ファクシミリのハンドシェークが、データ・ポンプ回路３１３により達成される。ファクシミリ接続が達成されると、デジタルファクシミリ画像情報が、遠隔地のファクシミリ機による受信の為に、データパケットプロトコル転送により直列回線インターフェース回路３１５から受信され、主制御装置回路３１３とデータ・ポンプ回路３１１とを経て、電話回線インタフェース回路３０９を経て電話回線へ送られる。
　図２の多重媒体メール機能１２１の動作は、図３のハードウェア構成要素によっても容易になる。多重媒体送信は、画像情報、デジタル情報、及びデジタル化音声情報から構成している。例えば、図３のハードウェア構成要素により遠隔地へ伝送された多重媒体情報の形式は、パーソナルコンピュータに付加されたインテリジェント・シリアル・インタフェース（ＩＳＩ）カードに支援されたマイクロソフト（登録商標）・マルチメディア・ウエーブ（登録商標）のマルチメディア・フォーマットである。また、多重媒体は、以降に詳述する本装置のソフトウェアー構成要素により組み立てられた多重情報の形式であってもよい。
　本文、グラフィック、音声メッセージ（一括して多重媒体文書と言う）を含む情報の多重媒体パッケージは、図３のハードウェアー構成要素により送信または受信される。例えば、図３に示されたハードウェアー構成要素による多重媒体文書の伝送は、後述のパケットプロトコルにより、パーソナルコンピュータと直列回線インタフェース回路３１５との間のＲＳ２３２直列インタフェースを通じてて、多重媒体デジタル情報を伝送することにより行われる。
　次に、パケットは、電話回線インタフェース回路３０９を介して遠隔地側で受信するため、主制御装置回路３１３によりデータ・ポンプ回路３１１を経て、電話回線へ伝送される。同様に、遠隔地からの電話回線を通じて受信され多重媒体文書は、ＲＳ２３２直列回線インタフェース回路３１５を経て主制御装置回路３１３により受信と転送を行うため、電話回線インタフェース回路３０９で受信され、データポンプ回路３１１を通過する。
　本装置の表示／告示機能１２３により、ユーザーは、データ／音声通信セッションを設定することが出来る。この動作モードにおいて、完全二重データ伝送が、両通信側の間の音声通信と同時に達成される。この動作は、同一構成の遠隔地側を想定している。本装置のハードウェア構成要素は、また、音声／データをセルラリンクを通じて送る手段を有する。多重化された音声とデータを伝送するために使用されるプロトコルは、以降に詳述される監視パケットを有しており、セルラリンクを経て設定されたリンクを保持している。この監視パケットは、リンクがまだ動作状態にある肯定応答である。データが送られていず、またパケットが指定された試みの後に応答されない場合、この監視パケットは二回毎に送られ、次に、プロトコルが、セルラリンクが停止していることの表示を与え、これにより、モデムは動作を行う。例えば、この動作は、速度変更、保持、または、停止である。監視パケットを使用することは、多重化された音声とデータを送る場合に本質的に断続なセルラリンクを維持する新しい方法である。
　表示／告示機能の音声／データ伝送の音声部分は、ユーザーの音声を電話機インタフェース３０１，３０２，および３０３から受信することにより達成され、音声情報はテジタル電話回路３０５によりデジタル化される。デジタル化された音声情報は、音声制御回路３０６へ送られ、そこで、デジタル化された音声情報は、十分に後述される音声圧縮アルゴリズムにより圧縮される。このテジタル化圧縮音声信号は、二重ポートＲＡＭ回路３０８を経て主制御装置回路３１３へ送られる。無音声の時間の間、無声フラッグは、後述のパケット転送プロトコルで二重ポートＲＡＭ回路３０８により、音声制御回路３０６から主制御装置回路３１３へ送られる。
　主制御装置回路３１３によるインタフェース回線回路３１５を経てパーソナルコンピュータからのパッケージ化デジタル情報の受信は、音声情報の圧縮デジタル化とパッケージ化と同時である。本装置の表示／告示機能における主制御装置回路３１３は、電話回線インタフェース回路３０９を経て電話回線からの伝送のために、効率的また効果的にデジタル化音声情報をデジタル情報と結合しなければならない。
　上述され、またより詳細に後述されているように、主制御装置回路３１３は、音声送信中の無声時間に依存して、すべての与えられた期間に送られた音声情報とデジタル情報の量を動的に変化する。例えば、音声情報が送られていない無声時間の間に、主制御装置回路３１３は、より多量のデジタルデータ情報が、デジタル化音声情報の代わりに、電話回線インタフェースから送られることを確実にする。
　また、十分に後述されているように、後述の伝送パケットプロトコルによる電話回線インタフェースから送られたデジタルデータのパケットは、デジタルデータ伝送中に１００パーセントの正確度を必要とするが、デジタル化音声情報の送信と受信については標準より低い正確度を必要とする。デジタル情報は、１００パーセントの正確度で伝送されなければならないので、遠隔地で受信されたデジタル情報の改変されたパケットは、再伝送されなければならない。再伝送信号は、ローカル側へ送り返され、伝送中に改変されたそのデジタル情報のパケットは、再伝送される。
　しかし、伝送されたパケットが音声データを含んでいたならば、パケットヘッダーがそのままである限り、パケットが改変されていても、いなくても、遠隔地側はそのパケットを使用する。ヘッダーが改変されているならば、そのパケットは放棄される。従って、音声情報はリアルタイムベースで送られなければならず、また、音声信号のすべてのデジタル情報の改変は、危険な限界にないと理解されるので、音声情報は、再伝送を要求することなく、改変される。これと対照に、デジタルデータの伝送は限界にあり、改変されたデータパケットの再伝送は、遠隔地側により要求される。
　デジタルデータの伝送は、業界でよく知られ、また、１９８９年版国際電信電話諮問委員会報告書（ｔｈｅ　ＣＣＩＴＴ　Ｂｌｕｅ　Ｂｏｏｋ）第８巻名称：電話ネツトワークによるデータ通信に述べられているように、国際電信電話諮問委員会（ＣＣＩＴＴ）Ｖ．４２標準に従っている。国際電信電話諮問委員会Ｖ．４２標準が、ここに参考に引用されている。音声データパケット情報も、国際電信電話諮問委員会Ｖ．４２標準に従っているが、受信側がデータパケットと音声パケットとの差を認識するように、異なるヘッダーフォーマットを使用している。音声パケットは、Ｖ．４２標準のヘッダー（１６進８０）に未定義ビットを使用することにより、データパケットと識別される。本装置の表示／告示機能中の音声／データ伝送に関するパケットプロトコルは、以降に詳細に説明されている。
　遠隔地側との音声／データ通信は完全二重通信であるので、入信データパケットと入信音声パケットは、図３のハードウェア構成要素により受信される。入信データパケットと入信音声パケットは、電話回線インタフェース回路３０９から受信され、データ・ポンプＤＳＰ回路３１１を経て主制御装置回路３１３へ送られる。入信データパケットは、主制御装置回路３１３により直列インタフェース回路３１５へ送られ、パーソナルコンピュータへ送られる。入信音声パケットは、音声制御ＤＳＰ回路３０６により受信するため、伝送主制御装置回路３１３により二重ポートＲＡＭ回路３０８へ送られる。音声パケットは復号され、圧縮されたデジタル情報は、そこで回路３０６の音声制御ＤＳＰにより圧縮解除される。圧縮解除されたデジタル音声情報は、テジタル電話ＣＯＤＥＣ回路３０５へ送られ、そこで、アナログ信号に再変換され、電話回線インタフェース回路３０９から再伝送される。このように、完全二重音声／データ送信と受信は、本装置の表示／告示機能動作中に図３のハードウェア構成要素により達成される。
　本装置の端末機能も、図３のハードウェア構成要素により支援される。端末機能は、ローカルコンピュータがファイル伝送能力を有する無音の端末として単に働くことを意味する。従って、ローカル処理は、無音端末の動作に必要なハンドシェーキングプロトコル以外は行わない。端末モード動作状態で、遠隔地側はパーソナルコンピュータに接続したモデムであると見なされるが、遠隔地側は、必ずしも、本装置により構成された通信側ではない。端末モード動作状態において、パーソナルコンピュータからの指令とデータ情報は、ＲＳ２３２直列インタフェース回路３１５から伝送され、主制御装置回路３１３によりデータ・ポンプ回路３１１へ送られ、そこで、データは電話回線インタフェース回路３０９を経て電話回線上に置かれる。
　往復の形で、データは電話回線から電話回線インタフェース回路３０９を経て受信され、データ・ポンプ回路３１１により主制御装置回路３１３から直列回線インタフェース回路３１５を経てパーソナルコンピュータヘ送られる。
　上述され、また、より詳細に後述されているように、本装置のアドレス・ブック機能は、主に、本装置の他の多くの機能に対し電話番号とアドレスを提供する支援機能である。」、
「１．　パーソナルコンピュータと共に使用する多重通信装置にして、パーソナルコンピュータがプロセッサー、メモリー、及び周辺データ記憶装置を有し：
パーソナルコンピュータに接続された通信モジュールであって、次の手段を含んでいる：
　　　前記パーソナルコンピュータと前記通信モジュールとの間でデータを転送し、前記パーソナルコンピュータへ通信のために接続している通信インタフェース手段と；
　　　電話回線へ接続する電話回線インタフェース手段と；
　　　ローカルユーザーからのローカル音声信号を受信し、遠隔地ユーザーからの遠隔音声信号をローカルユーザーへ転送する電話音声インタフェース手段と；
　　　ローカル音声信号を送信デジタル音声データへ変換し、入信デジタル音声データを遠隔音声データへ変換する全二重変換手段と；
　　　送信デジタル音声データを圧縮された送信デジタル音声データへ圧縮し、圧縮された入信デジタル音声データを入信デジタル音声データへ逆圧縮する圧縮手段と；
　　　前記圧縮された送信デジタル音声データを前記圧縮手段から受信し、送信デジタル音声データをパーソナルコンピュータから通信インタフェース手段を経て従来の送信デジタルデータを受信し、前記圧縮された送信デジタル音声データと前記従来のデジタルデータとを形成された多重化送信データへ多重化する主制御装置と；
　　　前記圧縮された入信デジタル音声データと共に多重化された従来の入信デジタルデータを含んでいる多重化入信データを受信し、前記従来の入信デジタルデータと前記圧縮された入信デジタル音声データとを逆多重化し、前記従来の入信デジタルデータをパーソナルコンピュータへ前記通信インタフェース手段を経て送り、前記圧縮された入信デジタル音声データを前記圧縮手段へ送る前記主制御手段と
を含む前記通信モジュールと；
　前記通信インタフェースを経て前記通信モジュールと通信するソフトウェアを実行し、前記ローカルユーザーの命令に応じて、遠隔地に電話呼び出しを始めること、かつ前記通信モジュールの前記主制御装置に多重化と逆多重化とを行わしめることが可能であるパーソナルコンピュータと；そして、
　前記従来の入信デジタルデータを通信インタフェースを経て受信、格納すること、かつ前記従来の送信デジタルデータを通信モジュールへ通信インタフェースを経て送ることが出来る前記パーソナルコンピュータと；
を含んでいる多重通信装置」、
　したがって、上記記載事項から前記引用刊行物には、
「電話ネットワークとパーソナルコンピュータとともに使用する多重通信装置であって、
データを上記パーソナルコンピュータに転送しかつ上記パーソナルコンピュータからデータを転送するために接続されたデータインターフェース手段と、
　ローカルユーザからローカル音声信号を受信し、遠隔のユーザからローカルユーザに遠隔の音声信号を伝送するための電話ハンドセット手段と、
　上記電話ハンドセットに接続され、ローカル音声信号を発信デジタル音声データに変換し、着信デジタル音声データを遠隔の音声信号に変換するための全２重変換手段と、
　上記全２重変換手段に接続され、発信デジタル音声データを圧縮された発信デジタル音声データに圧縮し、圧縮された着信デジタル音声データを着信デジタル音声データに伸長するための音声圧縮手段と、
　主制御手段とを備え、
　上記主制御手段は、
　上記音声圧縮手段からの圧縮された発信デジタル音声データを受信し、
　上記パーソナルコンピュータから上記データインターフェース手段を介して発信既存デジタルデータを受信し、
　圧縮された発信デジタル音声データを、上記発信既存デジタルデータともに多重化して送信し、
上記遠隔の音声信号を電話回線に通過させるために接続された多重通信装置」
の発明が記載されていると認められる（以下、「引用刊行物記載の発明」という）。
　
３．対比
　本願発明と引用刊行物記載の発明とを対比すると、両者は、
「電話ネットワークとパーソナルコンピュータとともに使用する通信システムであって、
データを上記パーソナルコンピュータに転送しかつ上記パーソナルコンピュータからデータを転送するために接続されたデータインターフェース手段と、
　ローカルユーザからローカル音声信号を受信し、遠隔のユーザからローカルユーザに遠隔の音声信号を伝送するための電話ハンドセット手段と、
　上記電話ハンドセットに接続され、ローカル音声信号を発信デジタル音声データに変換し、着信デジタル音声データを遠隔の音声信号に変換するための全２重変換手段と、
　上記全２重変換手段に接続され、発信デジタル音声データを圧縮された発信デジタル音声データに圧縮し、圧縮された着信デジタル音声データを着信デジタル音声データに伸長するための音声圧縮手段と、
　主制御手段とを備え、
　上記主制御手段は、
　上記音声圧縮手段からの圧縮された発信デジタル音声データを受信し、
　上記パーソナルコンピュータから上記データインターフェース手段を介して発信既存デジタルデータを受信し、
　圧縮された発信デジタル音声データを、上記発信既存デジタルデータともに多重化して送信し、
上記遠隔の音声信号を電話回線に通過させるために接続された通信システム」で一致し、
　本願発明は「第１の電話回線を含む複数の発呼者識別符号化電話回線に接続し、かつ好ましくない電話呼を即時に回避するための即時回線切断手段を有する電話回線発呼者識別インターフェース手段」の構成を有しているのに対して、引用刊行物記載の発明は当該構成を備えていない点で、相違していると認められる（以下、「相違点」という）。
　
４．当審の判断
　上記相違点について検討すると、
　通信システムにおいて、受信人にとって好ましくない情報、不必要な記録（記憶）を排除するために、電話番号、暗号等の発呼者識別情報を用いて、直ちに回線切断を行う手段、すなわち、好ましくない情報を回避するために、発呼者識別情報を用いて、即時に回線切断を行う手段を、電話回線に接続し設けることは、周知の技術的事項（例えば、特開昭６２−２２１２６７号公報第３頁左上欄、実開平３−１１５４５８号公報（実願平２−２５２０２号のマイクロフィルムの明細書第５頁）等参照）であって、前記引用刊行物には、
「Ｔｈｅ　ｐｒｅｓｅｎｔ　ｓｙｓｔｅｍ　ｉｓ　ａｌｓｏ　ｃａｐａｂｌｅ　ｏｆ　ｓｅｎｓｉｎｇ　ｔｈｅ　ｃａｌｌｅｒ　ＩＤ　ｉｎｆｏｒｍａｔｉｏｎ　ｗｈｉｃｈ　ｉｓ　ｔｒａｎｓｍｉｔｔｅｄ　ｏｎ　ｔｈｅ　ｔｅｌｅｐｈｏｎｅ　ｌｉｎｅ　ｂｅｔｗｅｅｎ　ｒｉｎｇｓ．　Ｂｅｔｗｅｅｎ　ｔｈｅ　ｒｉｎｇｓ，　ｏｐｔｉｃａｌｌｙ　ｉｓｏｌａｔｅｄ　ｒｅｌａｙｓ　Ｕ３０，　Ｕ３１　ｏｎ　Ｆｉｇｕｒｅ　７Ｃ　ａｎｄ　ｏｐｔｉｃａｌｌｙ　ｉｓｏｌａｔｅｄ　ｒｅｌａｙ　Ｕ３３　ｏｎ　Ｆｉｇｕｒｅ　７Ｂ　ａｌｌ　ｏｐｅｒａｔｅ　ｉｎ　ｔｈｅ　ｐｅｒｉｏｄ　ｂｅｔｗｅｅｎ　ｔｈｅ　ｒｉｎｇｓ　ｓｏ　ｔｈａｔ　ｔｈｅ　ＦＳＫ　ｍｏｄｕｌａｔｅｄ　ｃａｌｌｅｒ　ＩＤ　ｉｎｆｏｒｍａｔｉｏｎ　ｉｓ　ｃｏｎｎｅｃｔｅｄ　ｔｏ　ｔｈｅ　ＣＯＤＥＣ　ａｎｄ　ｄａｔａ　ｐｕｍｐ　ＤＳＰ　ｉｎ　Ｆｉｇｕｒｅｓ　８Ａ　ａｎｄ　８Ｂ，　ａｓ　ｄｅｓｃｒｉｂｅｄ　ｍｏｒｅ　ｆｕｌｌｙ　ｂｅｌｏｗ．」（公開明細書第２７頁第３４行−第２８頁第５行）、すなわち、
「本装置は、呼びの間に電話回線に送られる発呼者識別情報を感知することも出来る。前記呼びの間に、図７Ｃの光学的に絶縁されたリレーＵ３０とＵ３１、及び図７Ｂの光学的に絶縁されたリレーＵ３３は、すべて、前記呼びの期間中に動作するので、ＦＳＫ変調された発呼者識別情報が、詳細には後述するように、図８Ａと８ＢのＣＯＤＥＣとデータポンプＤＳＰへ接続される。」とも記載されているので、前記引用刊行物記載の発呼者識別情報を用いて、好ましくない情報を回避するために、即時に回線切断を行う手段を電話回線に接続し設けることは、当業者が容易に考えることができたと認められる。
　
５．むすび
　したがって、本願発明は、前記引用刊行物記載の発明に基づいて、当業者が容易に発明することができたものであるので、特許法第２９条第２項の規定により特許を受けることができない。
　よって、結論のとおり審決する。